(57)【要約】【課題】  地震時に大きな層間変位が生じてもドア枠の変形を抑制し、ドアの開閉が可能な状態を維持できる耐震性間仕切装置におけるドア装置を提供する。【解決手段】  耐震性の吊り天井構造体１とフロア構造体２との間に、複数の支柱７を所定間隔で立設し、該支柱間にパネル板８を装着してパネル構造体３を構築するとともに、所定の支柱間にドアパネル１０を支持するドア枠９を配置してドア構造体４を構築してなる耐震性間仕切装置において、ドア枠を吊り天井構造体に対して縁を切り、フロア構造体に対して自立状態とするとともに、パネル構造体を構成する端部の支柱に、ドア枠が自在にスライド格納する化粧枠１１を取付けてなる。【選択図】        図４
2016037750.tif 000002
【特許請求の範囲】
【請求項１】
耐震性の吊り天井構造体とフロア構造体との間に、複数の支柱を所定間隔で立設し、該支柱間にパネル板を装着してパネル構造体を構築するとともに、所定の支柱間にドアパネルを支持するドア枠を配置してドア構造体を構築してなる耐震性間仕切装置において、
前記ドア枠を前記吊り天井構造体に対して縁を切り、前記フロア構造体に対して自立状態とするとともに、前記パネル構造体を構成する端部の支柱に、前記ドア枠が自在にスライド格納する化粧枠を取付けてなることを特徴とする耐震性間仕切装置におけるドア装置。
【請求項２】
前記ドア枠は、両側の縦ドア枠の上端間に上ドア枠を連結した正面視倒コ字形であり、前記両縦ドア枠の下端をフロア構造体に直接固定し、あるいはフロア構造体に敷設した地レールの端部に連結してなる請求項１記載の耐震性間仕切装置におけるドア装置。
【請求項３】
前記化粧枠は、一側端面に前記支柱の側面部を嵌合し、該支柱に取付けるための嵌合溝を備えるとともに、他側端は開放して表裏化粧板の間に前記ドア枠を受け入れる格納空間を形成したものである請求項１又は２記載の耐震性間仕切装置におけるドア装置。
【請求項４】
前記ドア枠の両縦ドア枠の外側端部に補助支柱を固定するとともに、前記上ドア枠よりも上方に延びた前記補助支柱と該上ドア枠の間に欄間パネルを装着してなる請求項２又は３記載の耐震性間仕切装置におけるドア装置。
【請求項５】
前記化粧枠に対する前記ドア枠のスライド格納における格納幅は、層間変形角１／４０に対応する層間変位を吸収可能な幅に設定している請求項１〜４何れか１項に記載の耐震性間仕切装置におけるドア装置。
【発明の詳細な説明】
【技術分野】
【０００１】
本発明は、耐震性間仕切装置におけるドア装置に係わり、更に詳しくは地震時に大きな層間変位が生じてもドアの開閉が可能な耐震性間仕切装置におけるドア装置に関するものである。
【背景技術】
【０００２】
通常、オフィスビル等は、複数のスラブで各階が形成され、上スラブの下面側には吊り天井構造体が構築され、下スラブの上面側にはフロア構造体が構築され、構造壁で囲まれた空間を間仕切装置で適宜に区画されている。通常、吊り天井構造体は、上スラブから垂下した吊支部材（吊りボルト）によって、縦横に張り巡らした天井支持レールを吊下げ状に保持し、該天井支持レールに天井パネルの周囲を係止する構造である。このような吊り天井構造体を有する室内に天井パネルからフロア構造体にわたって、間仕切パネルやドアパネルを組み合わせた間仕切装置を設置する。従来、吊り天井構造体に対する耐震基準はなかったが、東日本大震災によって多くの吊り天井構造体が落下し、破損したことを受けて、天井の耐震性を高める機運が高まってきた。このような間仕切装置においても、層間変形角が１／６０〜１／４０、震度７、天井面加速度が２．２Ｇに耐えることが必要と考えられる。
【０００３】
一般に、間仕切装置は、吊り天井構造体の下面に取付けた天レールとフロア構造体の上面に取付けた地レールとの間に、複数の支柱を所定間隔毎に立設するとともに、支柱間にそれぞれパネル板を装着して複数の支柱とパネル板が一連化したパネル構造体を形成するとともに、適所の支柱間にドアを設ける。例えば、特許文献１及び２には、天レールと地レール間に立設した支柱間に、両縦ドア枠と上ドア枠からなる倒コ字形のドア枠を取付けるとともに、ドア枠にドアパネルを開閉可能に取付けてドアを構成している。ここで、特許文献１では、縦ドア枠の一側面を、パネル構造体を構成する支柱に外嵌するとともに、縦ドア枠の下端を床面に固定した地レールの端部に固定している。一方、特許文献２では、縦ドア枠の一側面を、パネル構造体を構成する支柱に連結具を用いて連結している。
【０００４】
地震時の上下スラブの層間変位に対してパネル構造体を構成する支柱は、左右に傾斜してロッキング状態になる。支柱の傾斜に伴って縦ドア枠も傾斜し、ドア枠は大きく変形する。その結果、ドア枠はドアパネルに接触して開閉が困難になる恐れがある。地震が収まってドア枠の変形を修正すればドアパネルの開閉は可能になるが、その作業は多くの場合非常に困難である。
【先行技術文献】
【特許文献】
【０００５】
【特許文献１】特開平８−２３２３７２号公報
【特許文献２】特開２００５−２９０８７８号公報
【発明の概要】
【発明が解決しようとする課題】
【０００６】
そこで、本発明が前述の状況に鑑み、解決しようとするところは、地震時に大きな層間変位が生じてもドア枠の変形を抑制し、ドアの開閉が可能な状態を維持できる耐震性間仕切装置におけるドア装置を提供する点にある。
【課題を解決するための手段】
【０００７】
本発明は、前述の課題解決のために、耐震性の吊り天井構造体とフロア構造体との間に、複数の支柱を所定間隔で立設し、該支柱間にパネル板を装着してパネル構造体を構築するとともに、所定の支柱間にドアパネルを支持するドア枠を配置してドア構造体を構築してなる耐震性間仕切装置において、前記ドア枠を前記吊り天井構造体に対して縁を切り、前記フロア構造体に対して自立状態とするとともに、前記パネル構造体を構成する端部の支柱に、前記ドア枠が自在にスライド格納する化粧枠を取付けてなることを特徴とする耐震性間仕切装置におけるドア装置を構成した（請求項１）。
【０００８】
ここで、前記ドア枠は、両側の縦ドア枠の上端間に上ドア枠を連結した正面視倒コ字形であり、前記両縦ドア枠の下端をフロア構造体に直接固定し、あるいはフロア構造体に敷設した地レールの端部に連結してなる（請求項２）。
【０００９】
また、前記化粧枠は、一側端面に前記支柱の側面部を嵌合し、該支柱に取付けるための嵌合溝を備えるとともに、他側端は開放して表裏化粧板の間に前記ドア枠を受け入れる格納空間を形成したものであると好ましい（請求項３）。
【００１０】
そして、前記ドア枠の両縦ドア枠の外側端部に補助支柱を固定するとともに、前記上ドア枠よりも上方に延びた前記補助支柱と該上ドア枠の間に欄間パネルを装着してなることも好ましい（請求項４）。
【００１１】
更に、前記化粧枠に対する前記ドア枠のスライド格納における格納幅は、層間変形角１／４０に対応する層間変位を吸収可能な幅に設定していることがより好ましい（請求項５）。
【発明の効果】
【００１２】
以上にしてなる請求項１に係る発明の耐震性間仕切装置におけるドア装置は、耐震性の吊り天井構造体とフロア構造体との間に、複数の支柱を所定間隔で立設し、該支柱間にパネル板を装着してパネル構造体を構築するとともに、所定の支柱間にドアパネルを支持するドア枠を配置してドア構造体を構築してなる耐震性間仕切装置において、前記ドア枠を前記吊り天井構造体に対して縁を切り、前記フロア構造体に対して自立状態とするとともに、前記パネル構造体を構成する端部の支柱に、前記ドア枠が自在にスライド格納する化粧枠を取付けてなるので、地震時に大きな層間変位が生じ、それに伴って支柱が大きく左右に傾斜するロッキング状態になっても、ドア枠は支柱から力を受けることがなく、変形せずに元の形状を維持するので、如何なる状況でもドアパネルを開閉することができるのである。また、ドア枠は下端をフロア構造体に対して固定して自立状態としただけでも、ドア枠の両側部は支柱に取付けられた化粧枠で相対変位を許容して保持されるので、安定に姿勢が維持される。
【００１３】
請求項２によれば、前記ドア枠は、両側の縦ドア枠の上端間に上ドア枠を連結した正面視倒コ字形であり、前記両縦ドア枠の下端をフロア構造体に直接固定し、あるいはフロア構造体に敷設した地レールの端部に連結してなるので、ドア枠の施工が容易であり、ユニット化することも可能となる。
【００１４】
請求項３によれば、前記化粧枠は、一側端面に前記支柱の側面部を嵌合し、該支柱に取付けるための嵌合溝を備えるとともに、他側端は開放して表裏化粧板の間に前記ドア枠を受け入れる格納空間を形成したものであるので、支柱に対する化粧枠の取付けを簡単且つ強固に行うことができ、また両側の化粧枠の表裏化粧板の間の格納空間にそれぞれドア枠の側部を受け入れるので、外観的にドア枠と化粧枠が一体化し、またドア枠のスムーズなスライド格納がなされる。
【００１５】
請求項４によれば、前記ドア枠の両縦ドア枠の外側端部に補助支柱を固定するとともに、前記上ドア枠よりも上方に延びた前記補助支柱と該上ドア枠の間に欄間パネルを装着してなるので、ドア枠をユニット化しても吊り天井構造体との間の空間を適宜な大きさの欄間パネルで塞ぐことができ、施工性に優れたものとなる。
【００１６】
請求項５によれば、前記化粧枠に対する前記ドア枠のスライド格納における格納幅は、層間変形角１／４０に対応する層間変位を吸収可能な幅に設定しているので、ドア枠は層間変形角が１／４０の大きな地震時にも変形することがなく、両側の化粧枠間に安定に保持され、ドアパネルの開閉が可能な状態を維持することができる。
【図面の簡単な説明】
【００１７】
【図１】本発明のドア装置を適用した耐震性間仕切装置を示す部分正面図である。
【図２】ドア周りの部分横断平面図である。
【図３】同じくドア周りの部分拡大横断平面図である。
【図４】面内方向右側への層間変位が生じた場合の耐震性間仕切装置の変化を示す部分正面図である。
【図５】面内方向左側への層間変位が生じた場合の耐震性間仕切装置の変化を示す部分正面図である。
【発明を実施するための形態】
【００１８】
次に、添付図面に示した実施形態に基づき、本発明を更に詳細に説明する。図１は本発明のドア装置を適用した耐震性間仕切装置を示し、図２〜図５は本発明の詳細を示し、図中符号１は吊り天井構造体、２はフロア構造体、３はパネル構造体、４はドア構造体、５は天レール、６は地レール、７は支柱、８はパネル板、９はドア枠、１０はドアパネル、１は化粧枠をそれぞれ示している。
【００１９】
本発明に係る耐震性間仕切装置は、図１に示すように、耐震性の吊り天井構造体１とフロア構造体２との間に、複数の支柱７，…を所定間隔で立設し、該支柱７，７間にパネル板８を装着してパネル構造体３を構築するとともに、所定の支柱７，７間にドアパネル１０を支持するドア枠９を配置してドア構造体４を構築してなるものである。そして、本発明のドア装置は、前記ドア枠９を前記吊り天井構造体１に対して縁を切り、前記フロア構造体２に対して自立状態とするとともに、前記パネル構造体３を構成する端部の支柱７に、前記ドア枠９が自在にスライド格納する化粧枠１１を取付けたことを特徴としている。
【００２０】
ここで、前記パネル構造体３には、ロッキング仕様とスライド仕様とがある。ロッキング仕様のパネル構造体３は、前記支柱７，７間を少なくとも横桟で一定間隔となるように連結するとともに、該支柱７の上端部は前記吊り天井構造体１に取付けた天レール５、該支柱７の下端部は前記フロア構造体２に敷設した地レール６の変位に追従可能とし、前記支柱７，７間にパネル板８を上方変位可能に係止具１２で係止し、上下スラブの層間変位に対して面内でロッキング変位可能としたものである。ここで、「ロッキング」とは、複数の支柱７，…が平行を保って左右に傾斜し、それに応じてパネル板８，…も左右に傾斜する動作を示している。
【００２１】
また、スライド仕様のパネル構造体３は、前記支柱７の下端部に地レール６に沿った方向への移動を許容するスライド手段を設けるとともに、前記支柱７，７間を複数の補強部材（図示せず）で連結して剛性構造のフレームを構成し、前記支柱７，７間にパネル板８を装着し、上下スラブの層間変位又は平行変位に対して面内で天レール５と地レール６に対してスライド変位可能としたものである。ここで、「スライド」とは、天レールと地レールで案内されてその長手方向に移動することを意味する。
【００２２】
ここで、地震により建物の上スラブと下スラブに層間変位が生じると、壁面やコーナー支柱や適宜間隔で設けた補強用の支柱は左右に傾斜する。層間変形角を最大の１／４０とすれば、階高さ（スラブ間隔）が４２００ｍｍの場合、層間変位は１０５ｍｍとなり、スラブに追従して運動する耐震性の吊り天井構造体１の変位も１０５ｍｍとなる。つまり、標準的な天井高さ２８００ｍｍの天井が床面に対して片側１０５ｍｍ変位することを意味している。
【００２３】
更に詳しくは、前記耐震性間仕切装置は、前記吊り天井構造体１には前記天レール５が取付けられ、それに対応するフロア構造体２には、少なくとも前記ドアパネル１０を設ける位置を除き前記地レール６が敷設され、前記天レール５と地レール６間に所定間隔で支柱７，…が立設され、この支柱７，…を利用してパネル板８，…を表裏両面に装着してパネル構造体３を構築する。前記パネル板８は、図示しないがガラス板を枠体で保持されたガラスパネルであっても良い。
【００２４】
そして、前記ドア枠９は、図１及び図２に示すように、両側の縦ドア枠１３，１３の上端間に上ドア枠１４を連結した正面視倒コ字形であり、前記両縦ドア枠１３，１３の下端を前記フロア構造体２に直接固定し、あるいは前記フロア構造体２に敷設した地レール６の端部に連結して自立状態とする。
【００２５】
また、前記化粧枠１１は、図１〜図３に示すように、一側端面に前記支柱７の側面部を嵌合し、該支柱７に取付けるための嵌合溝１５を備えるとともに、他側端は開放して表裏化粧板１６，１６の間に前記ドア枠９の縦ドア枠１３を受け入れる格納空間１７を形成したものである。ここで、前記支柱７は、図３に示すように、断面略Ｃ字形の角型杆体であり、側面板１８を有する側をドア枠９側に向けて立設されており、該支柱７の側面部に前記化粧枠１１の嵌合溝１５を嵌合した状態で、前記側面板１８にネジ１９で固定されている。
【００２６】
そして、前記ドア枠９の両縦ドア枠１３の外側端部に補助支柱２０を固定するとともに、前記上ドア枠１４よりも上方に延びた前記補助支柱２０，２０と該上ドア枠１４の間に欄間パネル２１を装着している。前記縦ドア枠１３は、外側端部に前記補助支柱２０を受け入れて固定する連結部２２を形成するとともに、内側端部の表裏一側にはドアパネル１０の戸当り部２３を突設している。ここで、前記補助支柱２０は、前記支柱７と同一部材であっても良い。そして、前記ドア構造体４は、前記ドア枠９とドアパネル１０で基本的に構成され、更に前記補助支柱２０，２０及び欄間パネル２１を含めて構成しても良い。尚、本発明では、前記ドアパネル１０の構造及びドア枠９に対する開閉案内機構には特に限定されない。
【００２７】
前記ドア枠９は、前記補助支柱２０，２０を介して前記フロア構造体２に固定し、あるいは前記フロア構造体２に敷設した地レール６の端部に連結しても良い。その場合も前記補助支柱２０，２０の上端部は前記吊り天井構造体１に対して縁切りしている。
【００２８】
次に、図４及び図５に基づいて、地震時に層間変位が生じた場合の本発明に係る耐震性間仕切装置の挙動を説明する。図４は、面内方向右側への層間変位が生じた場合の耐震性間仕切装置の変化を示し、図５は面内方向左側への層間変位が生じた場合の耐震性間仕切装置の変化を示している。層間変位に伴って支柱７，…が大きく傾斜しても、フロア構造体２に自立状態で取付けられたドア枠９は全く変形せず、化粧枠１１の格納空間１７へのドア枠９の両縦ドア枠１３，１３のスライド格納具合が変化するのみである。ここで、前記化粧枠１１に対する前記ドア枠９のスライド格納における格納幅は、想定する層間変形角の最大１／４０での層間変位を許容するのに十分な幅に設定している。例えば、スラブ間隔が４２００ｍｍの場合、層間変位は１０５ｍｍであるので、前述の格納幅も１０５ｍｍとなる。勿論、１０５ｍｍよりも広く設定することも可能であるが、前記化粧枠１１の横幅が広くなり過ぎて外観性を損ない、またオーバースペックともなる。
【符号の説明】
【００２９】
１  天井構造体、
２  フロア構造体、
３  パネル構造体、
４  ドア構造体、
５  天レール、
６  地レール、
７  支柱、
８  パネル板、
９  ドア枠、
１０  ドアパネル、
１１  化粧枠、
１２  係止具、
１３  縦ドア枠、
１３  縦ドア枠、
１４  上ドア枠、
１５  嵌合溝、
１６  化粧板、
１７  格納空間、
１８  側面板、
１９  ネジ、
２０  補助支柱、
２１  欄間パネル、
２２  連結部、
２３  戸当り部。
【図１】
2016037750.tif 000003
【図２】
2016037750.tif 000004
【図３】
2016037750.tif 000005
【図４】
2016037750.tif 000006
【図５】
2016037750.tif 000007